(57)【要約】【課題】  構造及び着脱が簡単で、かつ電気接続を確実に行えるとともに、環境問題に配慮した無口金電球に用いるソケット、電球装置及び照明装置を提供する。【解決手段】    電気絶縁性を有するソケット本体１１と、ソケット本体１１の一端部に凹部１２ａを形成した電球支持部１２と、ソケット本体１１の他端部に電球支持部１２に連続して形成した装着部１３と、装着部１３に突出して形成した弾性を有するアーム部１４、１４'と、アーム部外面に形成したリード線を支持する凹溝１４ａ、１４ａ'とを具備するソケットを構成する。【選択図】        図１
2007042357.tif 000002
【特許請求の範囲】
【請求項１】
電気絶縁性を有するソケット本体と、ソケット本体の一端部に凹部を形成した電球支持部と、ソケット本体の他端部に電球支持部に連続して形成した装着部と、装着部に突出して形成した弾性を有するアーム部と、アーム部外面に形成したリード線を支持する凹溝とを具備することを特徴とするソケット。
【請求項２】
前記請求項１に記載のソケットと、ソケットの凹部に支持され、リード線を有する電球とを具備し、リード線をソケットの凹部から装着部に導出し、アーム部の凹溝に露出させて支持したことを特徴とする電球装置。
【請求項３】
電気絶縁性を有する支持装置本体と、支持装置本体に形成され、ソケットの装着部及びアーム部を支持する凹部と、凹部に設けられソケットのリード線と接する電気端子部と、支持装置本体に設けられ電気端子部と接続した電源供給用の金属導体とからなるソケット支持装置を具備し、ソケット支持装置に前記請求項２に記載の電球装置を装着したことを特徴とする照明装置。
【請求項４】
電球装置は、ソケット支持装置に着脱を可能となす係止手段により装着したことを特徴とする請求項３に記載の照明装置。
【発明の詳細な説明】
【技術分野】
【０００１】
本発明は、電球に用いるソケット、ソケットに電球を装着した電球装置及び電球装置を使用した照明装置に関する。
【背景技術】
【０００２】
近年、自動車等の計器類、音響機器の操作部等における表示パネルの照明用、さらには自動車のウインカーランプやドアランプの光源として無口金電球が多用されている。
【０００３】
従来の無口金電球は、例えば下記の特許文献１に示されるように、一対の導電性挟持片を装着したプラスチック筒体からなるソケットに、無口金電球であるウェッジベースランプを挿入することにより、ウェッジベースランプの通電リード部が挟持片に接触して点灯可能になるように構成されている。
【０００４】
他の方式として、例えば特許文献２に示されるように、無口金電球が挿入される筒形のソケット本体にフランジ部を形成し、無口金電球より導出されたリード線をフランジ部の上面に沿って配線し、無口金電球とソケットとを一体化した電球装置が構成されている。
【０００５】
さらに、電気的な接続の方式としては、プリント配線基板に直接表面実装したり（例えば、特許文献３）、ソケットにハーネスを設けて（例えば、特許文献４）、電気的な接続を行うことがなされている。
【特許文献１】特許第３０００１９２号公報
【特許文献２】特開平８−３１５９３７号公報
【特許文献３】特開平１０−２７５６０３号公報
【特許文献４】実開平４−５４１８３号公報
【発明の開示】
【発明が解決しようとする課題】
【０００６】
しかしながら、特許文献１の電球装置は、ソケット内に一対の導電性挟持片を装着するために部品点数が多くなり、しかもこれら挟持片は小形で複雑な形状をなし、しかも導電性金属プレートを切断やプレスを行って構成するため、加工に手間を要し、かつ組み立て工数も多くなってしまう問題がある。
【０００７】
また、無口金電球の着脱操作は、電球自体を摘んでソケットに対して行うものであり、電球着脱の際に機械的に一番弱いリード線引き出し部分に外力が加わり、破損する恐れがある。
【０００８】
特許文献２に示されるものは、上記問題を解消したものであるが、無口金電球とソケットで構成された電球装置は、ソケットをプリント配線基板に形成された取付け孔に差し込んで、引掛け爪を弾性変形させて取付けるとともに、電気的な接続も行うようにしている。
【０００９】
このため、電球装置を取付けるための構成は、ソケットに引掛け爪を形成し、さらにプリント配線基板に取付け孔を形成する格別の構成が必要となり構造が複雑となる問題がある。
【００１０】
また、電球装置の取付けに際しては、引掛け爪を弾性変形させるために強い力が必要となり、また外す場合には工具を使用して引掛け爪を変形させて係合を解除しなければなら
ず、簡単に着脱ができない問題がある。
【００１１】
さらに、電球装置とプリント配線基板との電気接続は、ソケットをプリント配線基板に形成された取付け孔に、差し込んで引掛け爪を弾性変形させ、ソケットの引掛け爪とフランジ部の上面との間に回路基板を挟持することにより固定し、これによりフランジ部の上面に配線されたリード線が回路基板の給電端子と接触して電気接続をなすように構成されている。
【００１２】
このため、回路基板の板厚寸法が製造誤差等により、所期の寸法より薄くなっていた場合には、フランジ部上面との間で回路基板を強固に確実に挟持することができない恐れがあり、両者の固定にガタ付きが生じ、また電気接続が不安定となって不点灯など、故障の原因となる恐れがある。
【００１３】
一方、この種の無口金電球を使用した電球装置は、ランプの光を必要とする自動車のウインカーランプやドアランプの光源としても設置されるが、この場所は自動車本来の電子制御を行う電子回路部分が設置された場所とは離れた場所、換言すれば、ランプ以外には配線を必要としない場所であることが多い。
【００１４】
しかし、多くの場合は、不用なプリント配線基板を、ランプを発光させる目的のみで、ランプ装着用の小さなプリント配線基板を設計しランプケース等の裏面に設置している。さらに、これら配線基板と電源を接続するために多くの電線が設けられている。
【００１５】
このため、ランプケース等の裏面においては、多くの電線が複雑に絡み合い、また組み立てに手間がかかるとともに、誤配線が生じる恐れがある。
【００１６】
また、近年、自動車等の設計においては、ランプ交換が容易で、構造が簡単かつ耐久性を有する等の要望に加え、環境問題やリサイクルへの配慮から、鉛半田等を含んだプリント配線基板の使用を極力避けるよう要望がなされている。
【００１７】
これに対し、上記特許文献１、２及び３に示される無口金電球を使用した電球装置は、プリント配線基板に支持するものであり、上記要望を実現できない。
【００１８】
また、特許文献４に示されるものは、電線を有して配線接続するものであり、組み立ての手間及び誤配線を解消するものとはならない。
【００１９】
本発明は、上述した課題、問題を解決することを目的とし、構造及び着脱が簡単で、かつ電気接続を確実に行えるとともに、環境問題に配慮した無口金電球に用いるソケット、電球装置及び照明装置を提供しようとするものである。
【課題を解決するための手段】
【００２０】
請求項１に記載のソケットの発明は、電気絶縁性を有するソケット本体と、ソケット本体の一端部に凹部を形成した電球支持部と、ソケット本体の他端部に電球支持部に連続して形成した装着部と、装着部に突出して形成した弾性を有するアーム部と、アーム部外面に形成したリード線を支持する凹溝とを具備することを特徴とする。
【００２１】
請求項１に記載の発明によれば、構造及び着脱が簡単で、かつ電気接続を確実に行うことができる無口金電球を用いた照明装置用のソケットが構成される。
【００２２】
ソケット本体は、例えば、ナイロン等の弾性を有し、耐熱性でかつ電気絶縁性をする合成樹脂で構成することが好ましいが、素材を金属で構成し、この金属に耐熱性でかつ電気
絶縁性をする合成樹脂等をコーティングするなどの手段で構成してもよい。
【００２３】
弾性を有するアーム部は、例えば、ソケット本体をナイロン等の弾性を有する合成樹脂で構成し、装着部に一体に突出してアーム部を形成することにより、合成樹脂自体の弾性を利用することによって弾性を有するアームを構成してもよく、さらにはアームをソケット本体とは別体の金属製のバネ部材で構成し、その一端をソケット本体に係止して、この係止部を中心としてアームが揺動できるように構成してもよい。
【００２４】
請求項２に記載の電球装置の発明は、前記請求項１に記載のソケットと、ソケットの凹部に支持され、リード線を有する電球とを具備し、リード線をソケットの凹部から装着部に導出し、アーム部の凹溝に露出させて支持したことを特徴とする。
【００２５】
請求項２に記載の発明によれば、構造及び着脱が簡単で、かつ電気接続を確実に行うことができる無口金電球を用いた照明装置用の電球装置が構成される。
【００２６】
リード線を有する電球は、ウェッジベースランプやサブミニチュアランプ等の小型の電球が好適であるが、電球の大きさ、リード線の引き出し方式等には限定されない。
【００２７】
電球をソケットへ支持する手段は、ソケットの凹部に電球を挿入し装着する手段のみによって支持されても、または電球の封止部及びソケットに形成した凹凸による係合により支持するようにしてもよく、また、電球はソケットに対して着脱が可能になるように支持してもよい。
【００２８】
ソケットの凹部から装着部に導出する電球のリード線は、装着部の底面から導出し、底面に沿って折り曲げ、アーム部外面に露出させても、さらには装着部底面から側面等、他の面を経由して折り曲げ、アーム部外面に露出させるようにしてもよい。
【００２９】
リード線を露出させて支持する手段は、凹溝に沿ってリード線の半分を嵌め込み、半分を外方に突出させることで露出して支持することが好ましいが、リード線を露出させる割合は特に限定されず、リード線を凹溝に露出させて支持した全ての構成を許容する。
【００３０】
リード線を露出させる方向は、電球及びソケットの長手方向、換言すれば電球の装着方向に、リード線の軸線が沿う方向に露出させることが好ましいが、電球の装着方向と直交する方向にリード線の軸線が沿っていてもよく、露出させる方向は特に限定されない。
【００３１】
請求項３に記載の照明装置の発明は、電気絶縁性を有する支持装置本体と、支持装置本体に形成され、ソケットの装着部及びアーム部を支持する凹部と、凹部に設けられソケットのリード線と接する電気端子部と、支持装置本体に設けられ電気端子部と接続した電源供給用の金属導体とからなるソケット支持装置を具備し、ソケット支持装置に前記請求項２に記載の電球装置を装着したことを特徴とする。
【００３２】
請求項３に記載の発明によれば、構造及び着脱が簡単で、かつ電気接続を確実に行うことができるとともに、環境問題に配慮した無口金電球を用いた照明装置が構成される。
【００３３】
電気絶縁性を有する支持装置本体は、環境問題に配慮するために、鉛半田を有するプリント配線基板等で構成しないことが好ましいが、本体にプリント配線基板を有さないことが必須の条件ではなく、一部にプリント配線基板を有するものでもよく、要は環境問題に配慮して電気絶縁性を有して構成したものであればよい。
【００３４】
支持装置本体に設けられた電源供給用の金属導体は、誤配線等を解消するために、リー
ド線を用いずに構成することが好ましいが、リード線を全く用いないことが必須の条件でなく、一部にリード線を有しているものであってもよい。
【００３５】
ソケットの装着部及びアーム部を凹部に支持する手段は、凹部にソケットの装着部を挿入し、アーム部に支持されたリード線と凹部に設けられた電気端子部が、アーム部の弾性によって接する手段のみによって支持されても、または別個に構成した係止手段で支持されるようにしてもよい。
【００３６】
ソケットのリード線と接する電気端子部は、リード線が露出する方向に沿った短冊状の形状をなす金属片から構成して、リード線と金属片との接触面積が多くなるように構成することが好ましいが、リード線と金属片とを交差させて接触するようにしてもよく、電気端子部の形状、接触方式については特に限定されない。
【００３７】
請求項４に記載の発明は、請求項３に記載の照明装置において、電球装置は、ソケット支持装置に着脱を可能となす係止手段により装着したことを特徴とする。
【００３８】
着脱を可能となす係止手段は、電球の交換等の際に、電球のリード線等に無理な力が加わらないように、電球装置、換言すれば、電球をソケットと一緒にソケット支持装置から簡単に着脱させるための係止手段で、係止状態を解除するための操作部を設けて指で解除できるようにしても、ドライバー等簡易な工具を使用して解除させるものであってもよい。
【発明の効果】
【００３９】
請求項１の発明によれば、ソケット本体の装着部に突出して形成した弾性を有するアーム部と、アーム部外面に形成したリード線を支持する凹溝により、構造及び着脱が簡単で、かつ電気接続を確実に行うことができる無口金電球を用いた照明装置用のソケットを提供することができる。
【００４０】
請求項２の発明によれば、電球のリード線をソケットの凹部から装着部に導出し、アーム部の凹溝に露出させて支持し、構造及び着脱が簡単で、かつ電気接続を確実に行うとができる無口金電球を用いた照明装置用の電球装置を提供することができる。
【００４１】
請求項３の発明によれば、ソケットの装着部及びアーム部を支持する凹部及び凹部内面に設けられソケットのリード線と接する電気端子部からなるソケット支持装置により、構造及び着脱が簡単で、かつ電気接続を確実に行うことができる無口金電球を用いた照明装置を提供することができる。
【００４２】
さらに、支持装置本体に設けられ電気端子部と接続された電源供給用の金属導体とからなるソケット支持装置により、環境問題に配慮し、かつ誤配線等を解消するこことが可能な無口金電球を用いた照明装置を提供することができる。
【００４３】
請求項４の発明によれば、係止手段により電球装置とソケット支持装置の着脱操作を容易にした無口金電球を用いた照明装置を提供することができる。
【発明を実施するための最良の形態】
【００４４】
以下、本発明に係るソケット、電球装置及び照明装置の実施形態について説明する。
【実施例１】
【００４５】
図１〜図１０は、第一実施形態のソケット、電球装置及び照明装置を示し、図１はソケットの斜視図、図２は図１のＡ−Ａ線に沿う断面図、図３は電球装置の斜視図、図４は電
球装置の正面視の縦断面図、図５は電球装置の背面視の縦断面図、図６は電球装置の右側面図、図７は電球装置の底面図、図８は照明装置の斜視図、図９は照明装置を分解し、一部を切り欠いて示す斜視図、図１０はソケットの変形例を示し、その要部を拡大し一部を切り欠いて示す側面図である。
【００４６】
本実施形態のソケット１０、電球装置２０及び照明装置３０は、自動車のウインカーランプとして構成されたものである。
【００４７】
まず、本実施形態のソケット１０の構成を図１及び図２に従い説明する。
【００４８】
本実施形態のソケット１０は、ソケット本体１１、電球支持部１２、装着部１３及び２個のアーム部１４、１４'で構成する。
【００４９】
ソケット本体１０は、ナイロン等の弾性を有し、耐熱性でかつ電気絶縁性をする合成樹脂で縦長の略直方体をなす形状に形成し、電球支持部１２、装着部１３及び２個のアーム部１４、１４'等を合成樹脂の一体成型品として構成する。
【００５０】
電球支持部１２は、後述する無口金電球を支持する部分で、縦長の略直方体をなすソケット本体１１の上半分を中空にして凹部１２ａを形成し、凹部の長辺側の内面に、それぞれ縦方向に凹溝１２ｂ、１２ｂ'を形成して構成する。凹溝１２ｂ、１２ｂ'は、後述する電球をガイドするためのものである。
【００５１】
図中１２ｃ、１２ｃ'は、凹部内面の開口部近傍に、一体に形成された２個の凸部で、
電球を係止して保持するためのもので、２個の凸部１２ｃ、１２ｃ'は、ソケットの長手
方向の軸線ａを中心点ｂとする点対称の位置に形成される。
【００５２】
装着部１３は、後述するソケット支持装置に装着し、電球装置２０を照明装置３０に支持するためのもので、ソケット本体１１の下半分で構成する。
【００５３】
装着部１３には、前記電球支持部１２の凹部１２ａの底面から装着部１３の底面にわたって形成した２個の貫通孔１３ａ、１３ａ'を形成し、さらに一側面下端から外方に傾斜
して伸びる係止操作部１３ｂを一体に形成する。
【００５４】
係止操作部１３ｂは、一側面に係止凸部１３ｃを一体に形成し、一側面下端から外方に傾斜して形成することにより、ソケット本体１１を構成する合成樹脂自体の弾性と相まって、先端部を指で摘んで多少の角度範囲にわたり動かすことができる。
【００５５】
１４、１４'は２個のアーム部で、装着部１３の正面及び背面、それぞれに、他側面側
に偏らせ下端から外方にやや傾斜して一体に形成する。
【００５６】
正面及び背面、それぞれに形成した２個のアーム部１４、１４'は、ソケットの長手方
向の軸線ａを中心点ｂとする点対称の位置に形成される。
【００５７】
２個のアーム部１４、１４'は、下端から外方にやや傾斜して一体に形成することによ
り、ソケット本体１１を構成する合成樹脂自体の弾性と相まって、下端を支点として多少の角度範囲にわたり揺動することができる。
【００５８】
２個のアーム部１４、１４'の外面には、後述する電球のリード線支持部となる凹溝１
４ａ、１４ａ'を縦方向に形成し、凹溝の先端に連続してリード線の係止凹部１４ｂ、１
４ｂ'を形成する。
【００５９】
凹溝１４ａ、１４ａ'は、電球のリード線を一部埋め込み、リード線を位置決めして確
実に支持するためのもので、リード線の係止凹部１４ｂ、１４ｂ'は、リード線の先端を
巻き込んで係止し、さらに確実に支持するためのものである。
【００６０】
次に、図３〜図７に従い、本実施形態の電球装置２０の構成につき説明する。
【００６１】
電球装置２０は、上述したソケット１０と、ソケットに装着される電球１５で構成される。
【００６２】
電球１５は、無口金のウェッジベースランプで、透明または着色されたガラスバルブ１５ａと、ガラスバルブ内に封入されたタングステンフィラメント１５ｂと、フィラメント両端を上端部で懸架するジュメット線で構成された一対のリード線１５ｃ、１５ｃ'と、
リード線の下端部を気密に封止して導出するためにピンチシールされた封止部１５ｄで構成する。
【００６３】
封止部１５ｄの正面及び背面の外面には、縦方向に突出する横断面形状が円形の突状部１５ｅを、また封止部の根元部分には凹部１５ｆ、１５ｆ'を一体に形成する（図９の電
球１５に図示）。
【００６４】
突状部１５ｅは、ソケット１０の凹部１２ａに形成された２個の凹溝１２ｂ、１２ｂ'
に嵌合する。
【００６５】
凹部１５ｆ、１５ｆ'は、ソケット１０の凹部１２ａに形成された２個の凸部１２ｃ、
１２ｃ'に対応して設けられるもので、ガラスバルブ１５ａの軸線ｃを中心点とする点対
称の位置に形成される。
【００６６】
上記のように構成された電球１５は、ソケット１０に装着され電球装置２０を構成する。
【００６７】
すなわち、電球１５の封止部１５ｄを下にして、封止部から導出された一対のリード線１５ｃ、１５ｃ'をソケット１０の凹部１２ａに挿入し、リード線の先端を２個の貫通孔
１３ａ，１３ａ'に挿通してソケット本体１１の底部から導出させる(図７)。
【００６８】
なお、電球１５の突状部１５ｅは、電球１５の軸線ｃ上に形成され、電球の凹部１５ｆ、１５ｆ'とソケット１０の凸部１２ｃ、１２ｃ'は、それぞれ電球の軸線ｃ及びソケットの長手方向の軸線ａを中心点とする点対称の位置に形成されているため、電球を挿入する際の方向性はなく、電球は表裏いずれの方向から挿入してもよい。
【００６９】
この状態から、電球の封止部１５ｄをソケットの凹部１２ａ内に挿入して行く。
【００７０】
この際、封止部の突状部１５ｅをソケットの凹溝１２ｂ、１２ｂ'に嵌め込む。これと
同時に封止部の２個の凹部１５ｆ、１５ｆ'がソケットの２個の凸部１２ｃ、１２ｃ'に、それぞれ対向する。
【００７１】
この状態で、凹溝１２ｂ、１２ｂ'をガイドにしてさらに押込むと、封止部１５ｄの下
端がソケットの２個の凸部１２ｃ、１２ｃ'に当たって合成樹脂自体の弾性に抗して乗り
上げ、さらに凹部１５ｆ、１５ｆ'が２個の凸部１２ｃ、１２ｃ'を乗り越えて嵌合する。
【００７２】
これにより、電球１５がソケット１０から容易に抜けない、抜け防止構造となっている
。
【００７３】
上記の状態で、ソケット１０の底面から引き出されたリード線１５ｃ、１５ｃ'を、ア
ーム１４、１４'の凹溝１４ａ、１４ａ'に沿ってＵ字形に巻き込むようにして折り曲げ、さらに先端を係止凹部１４ｂ、１４ｂ'に、それぞれ引っ掛けるようにして折り曲げ、ア
ーム部にリード線を支持する。
【００７４】
なお、正面側に位置するリード線１５ｃを図示したが、背面側に位置するリード線１５ｃ'も同様にしてアーム１４'に支持される。
【００７５】
凹溝１４ａ、１４ａ'の深さ寸法とリード線１５ｃ、１５ｃ'の線径の関係は、「凹溝の深さ寸法＜リード線の線径」の関係に構成し、リード線の半分が凹溝に埋め込まれ、半分が外面に露出して支持される。
【００７６】
上記により、無口金電球１５をソケット１０に装着した電球装置２０が構成される。
【００７７】
次に、図８及び図９に従い、照明装置３０の構成を説明する。
【００７８】
照明装置３０は、上述した電球装置２０と、電球装置を支持するソケット支持装置３１で構成され、電球装置２個を設置した２連式のソケット支持装置３１を有する照明装置として構成する。
【００７９】
ソケット支持装置３１は、支持装置本体３２と、支持装置本体に形成した凹部３３と、電気端子部３４ａ、３４ｂ及び金属導体３５ａ、３５ｂで構成する。
【００８０】
凹部３３、電気端子部３４ａ、３４ｂ及び金属導体３５ａ、３５ｂは、同様の構成のものが支持装置本体３２に２列に連接して設けられる。両者には同一部分に同一符号を付してある。
【００８１】
支持装置本体３２は、ポリプロピレン等の電気絶縁性を有する合成樹脂で、底を有する穴からなる凹部３３を一体に形成した板状部材で構成する。
【００８２】
凹部３３の横断面形状は、ソケット１０の横断面形状と略同様の形状をなし、凹部の底までの深さはソケット１０の装着部１３が凹部内に埋め込まれた状態になるような深さ寸法に形成する。
【００８３】
これにより、凹部３３内に電球装置２０のソケット１０を挿入することができ、電球装置がソケット支持装置に装着され支持されるようになっている。
【００８４】
すなわち、凹部３３の長辺側の対向する内面に、それぞれ縦方向の凹状部３３ａ、３３ａ'を一体に形成する。
【００８５】
この２個の凹状部３３ａ、３３ａ'は、ソケット１０のアーム部１４、１４'に対応して、アーム部が縦に挿入される幅及び深さ寸法をもって形成され、この２個の凹状部は、凹部３３の中心を中心点とする点対称の位置にそれぞれ形成される。
【００８６】
上記に構成した支持装置本体３２の凹部３３には、ソケット１０のリード線１５ｃ、１５ｃ'と接する電気端子部及び電気端子部と接続された電源供給用の金属導体が設けられ
る。
【００８７】
すなわち、金属導体は、亜鉛（Ｚｎ）等の導電性を有する金属板で、略Ｌ字状をなすように形成された第１金属導体３５ａと略Ｔ字状をなす第２金属導体３５ｂからなる。
【００８８】
第１金属導体３５ａには、Ｌ字の略中間部と先端部に２個の第１の電気端子部３４ａ、３４ａを一体に形成する。第１の電気端子部３４ａ、３４ａは、短冊状をなし、先端を下方に向けて略直角に折り曲げて構成する。
【００８９】
第２金属導体３５ｂは、Ｔ字の略中間部分及び先端部に位置して２個の第２の電気端子部３４ｂ、３４ｂを一体に形成する。第２の電気端子部３４ｂ、３４ｂも、短冊状をなし、先端を下方に向けて略直角に折り曲げて構成する。
【００９０】
図中３５ｃ、３５ｃは、第１金属導体３５ａの一部を一体に折り曲げて形成した２個の係止片である。
【００９１】
係止片３５ｃは、ソケット１０の係止操作部１３ｂ及び係止凸部１３ｃとで、電球装置２０をソケット支持装置３１に対して着脱を可能となす係止手段３６を構成している。
【００９２】
上記に構成した第１、第２金属導体３５ａ、３５ｂは、その取付孔を支持装置本体３２の上面に突出して一体に形成した取付ボスに挿入し、取付ボスを熱で溶着することにより固定される。
【００９３】
これにより、第１の電気端子部３４ａ及び第２の電気端子部３４ｂが、凹部３３の２個の凹状部３３ａ、３３ａ'内にそれぞれ嵌合するようにして挿入され、各電気端子部の接
触面が凹部３３の内方に向けて露出した状態に設置される。
【００９４】
さらに、係止片３５ｃが凹部３３の短辺側他側面の開口上端部に、凹部３３の内方に向けて突出するようにして設置される。
【００９５】
上記のように位置して設置された第１、第２金属導体３５ａ、３５ｂの後端部には、それぞれ接続端子部３７ａ、３７ｂが一体に突出して形成され、リード線等を介して電源部に接続される。
【００９６】
２列に連接して設けられたソケット支持装置３１の凹部３３には、それぞれ電球装置２０が装着されて２連式の照明装置３０が構成される。
【００９７】
すなわち、電球装置２０のソケット１０を下にして、ソケット支持装置３１の凹部３３内に挿入する。
【００９８】
このとき、同時に、凹部３３の長辺側の対向する内面に形成した凹状部３３ａ、３３ａ'に、ソケットのアーム部１４、１４'が挿入される。
【００９９】
この際、凹状部３３ａ、３３ａ'には、各金属導体の電気端子部３４ａ、３４ｂが嵌合
して接触面が露出しており、各電気端子部の金属片の板厚分だけ凹状部３３ａ、３３ａ'
の深さが浅くなっており、２個の凹状部３３ａ、３３ａ'間の距離寸法が短くなり狭くな
っている。
【０１００】
このためアーム部１４、１４'は、狭くなった凹状部３３ａ、３３ａ'内に、その下端部分を先端として楔を打ち込む形となり、２個のアーム部１４、１４'が合成樹脂の弾性力
に抗して、それぞれが揺動して内側に押し付けられながら凹状部３３ａ、３３ａ'内に差
し込まれる。
【０１０１】
これにより、アーム部１４、１４'の凹溝１４ａ、１４ａ'に支持されたリード線１５ｃ、１５ｃ'の露出部分が、各電気端子部３４ａ、３４ｂの接触面に強く当接し、その摩擦
力で保持される。
【０１０２】
なお、図８には背面側のアーム部１４'について図示したが、正面側のアーム部１４も
同様にして、アーム部１４の凹溝１４ａに支持されたリード線１５ｃの露出部分が第１の電気端子部３４ａの接触面に強く当接し、両方のアーム部１４、１４'及び電気端子部３
４ａ、３４ｂにより、電球装置のソケット１０をソケット支持装置３１に確実に支持するとともに、両者の電気接続が確実に行われる。
【０１０３】
さらに、ソケット１０を凹部３３に押込んで行くと、係止操作部１３ｂの係止凸部１３ｃが、第１金属導体３５ａの係止片３５ｃに当接し、係止操作部１３ｂが合成樹脂の弾力に抗して内側に撓み、係止凸部１３ｃが係止片３５ｃを乗り越え、係止操作部１３ｂが樹脂の弾性により元の位置に復帰して両者が係合する。
【０１０４】
これにより、電球装置のソケット１０がソケット支持装置３１に対して、より一層確実に支持され、電球装置２０がソケット支持装置３１から不用意に抜けないようになる。
【０１０５】
なお、係止操作部１３ｂを樹脂の弾性に抗して内側に撓ませ、係止凸部１３ｃと係止片３５ｃとの係合を外し、アーム部１４、１４'と電気端子部３４ａ、３４ｂの接触による
摩擦力に抗して、ソケット１０を凹部３３から引き抜けば、電球装置２０はソケット装置３１から容易に取り外すことができる。
【０１０６】
上記同様にして他方のソケット支持装置３１にも電球装置２０を装着する。これにより、無口金電球１５を有する２個の電球装置２０を装着した２連式のソケット支持装置３１を有する照明装置３０が構成される。
【０１０７】
上記のように構成された照明装置３０は、自動車のウインカーランプのケースに背面側から設置され、電源部から第１、第２金属導体３５ａ、３５ｂを介して電源が供給され、さらに第１、第２の電気端子部３４ａ、３４ｂから各リード線１５ｃ、１５ｃ'を介して
電球１５のフィラメント１５ｂに電源が供給され電球１５が点灯する。
【０１０８】
この際、ウインカーランプのケースの背面側には、従来のようにプリント配線基板を設置しない状態で電球を設置することができる。
【０１０９】
さらに、電球装置２０を支持するソケット支持装置３１は、リード線を用いることなく金属導体３５ａ、３５ｂで構成したので、従来のようにリード線が複雑に絡み合うこともなく、整然とスッキリした状態となる。
【０１１０】
本実施形態において、弾性を有するアーム部１４、１４'は、合成樹脂自体の弾性を利
用することによって構成したが、図１０に変形例として示すように、アーム部１４、１４'をソケットの装着部１３とは別体の金属製のバネ部材で構成し、その一端をソケット本
体に係止して、この係止部１４ｄを中心としてアームが揺動できるように構成してもよい。
【０１１１】
ソケット１０は、略直方体に形成したが、円筒状など各種の形状に形成し、デザイン性をさらに高めるようにしてもよい。
【０１１２】
本実施形態は、自動車のウインカーランプとして構成したが、ドアランプ、さらには、
計器における表示パネルの照明装置、ＯＡ機器、情報通信機器、家電機器、その他各種機器の表示用の照明装置としてとして構成してもよい。
【０１１３】
本実施形態によれば、電球装置２０の着脱は、ソケット支持装置３１に形成されたソケット１０の形状と略同形状をなす凹部３３内に、単に電球装置２０のソケット１０を抜き差しする操作で行うことができ、ネジ止め加工等格別な構成及び加工が不用となって構造が簡単になるとともに、着脱も格別な工具等を使用せずにワンタッチ動作で簡単に行うことができる。
【０１１４】
また、構造も凹部３３内に、単に電球装置２０のソケット１０を抜き差しする構成でよいため、凹部の形状やソケット１０を角度付きにするなど、様々な組み合わせにより、容易に電球のフィラメントの方向や光軸を変更することが可能となる。
【０１１５】
また、アーム部１４，１４'が、合成樹脂の弾性力に抗して、それぞれが内側に押し付
けられる状態で凹状部３３ａ、３３ａ'内に差し込まれ、リード線１５ｃ、１５ｃ'の露出部分が各電気端子部３４ａ、３４ｂの接触面に強く当接し、その摩擦力でソケット１０を凹部３３内に保持するので、簡単な構成により電球装置２０をソケット支持装置３１に確実に支持することができ、同時に両者の電気接続も確実に行うことができる。
【０１１６】
さらに、リード線１５ｃ、１５ｃ'には、外方に広がる圧力が常に加わり続け、良好な
電気接続を維持することができ経年経過による接触不良を防止することができる。
【０１１７】
また、ソケット１０は、アーム部１４、１４'をナイロン等の弾性を有する合成樹脂の
一体成型品として構成したので、合成樹脂自体の弾性を利用することにより簡単な構成で、無口金電球を用いた照明装置の電気接続を確実に行うことができる。
【０１１８】
さらに、電球１５は封止部１５ｄに形成した２個の凹部１５ｆ、１５ｆ'とソケット１
０に形成した２個の凸部１２ｄ、１２ｄ'とを係止して保持するようにしたので、電球１
５がソケット１０から容易に抜けることがなく、より一層確実に電球をソケットに支持することができる。
【０１１９】
電球１５のリード線１５ｃ、１５ｃ'は、アーム部１４，１４'の凹溝１４ａ、１４ａ'
に一部埋め込みリード線を位置決めし、リード線の先端を係止凹部１４ｂ、１４ｂ'に巻
き込んで係止したので、確実に支持することができる。
【０１２０】
さらに、電球装置２０は、係止操作部１３ｂ、係止凸部１３ｃ及び係止片３５ｃからなる係止手段３６で、着脱が可能になるように支持したので、より一層確実に支持することができるとともに、電球装置２０がソケット支持装置３１から簡単に取り外すことができ、電球装置の交換等を容易に行うことができる。
【０１２１】
特に、電球装置２０の着脱に際しては、電球１５とソケット１０が一体となった状態で行うことができ、機械的に一番弱い無口金電球１５のリード線１５ｃ、１５ｃ'の引き出
し部分に外力が加わることがなく破損する恐れがない。
【０１２２】
さらに、支持装置本体３２に設けられ各電気端子部３４ａ、３４ｂと接続された電源供給用の金属導体３５ａ、３５ｂとからなるソケット支持装置３１により、ウインカーランプのケースの背面側には、従来のようにプリント配線基板を設置しない状態で電球装置を設置することができ、環境問題に配慮した照明装置を提供することができる。
【０１２３】
さらに、電球装置２０を支持するソケット支持装置３１は、リード線を用いることなく
金属導体で接続されるので、従来のようにリード線が複雑に絡み合うこともなく、整然とスッキリした状態となり、誤配線を解消するこことができる。さらに従来、配線ケーブルとソケットのジョイント部分に生じていたガタ付きや振動が解消され、配線ケーブルの断線による不具合を解決することができる。
【０１２４】
以上、本発明の好適な実施形態を説明したが、本発明は上述の実施形態に限定されることなく、本発明の要旨を逸脱しない範囲内において、種々の設計変更を行うことができる。
【図面の簡単な説明】
【０１２５】
【図１】本発明第一実施形態のソケットの斜視図。
【図２】図１のＡ−Ａ線に沿う断面図。
【図３】本発明第一実施形態の電球装置の斜視図。
【図４】同じく電球装置の正面視の縦断面図。
【図５】同じく電球装置の背面視の縦断面図。
【図６】同じく電球装置の右側面図。
【図７】同じく電球装置の底面図。
【図８】本発明第一実施形態の照明装置の斜視図。
【図９】同じく照明装置を分解し、一部を切り欠いて示す斜視図。
【図１０】本発明第一実施形態におけるソケットの変形例を示し、その要部を拡大し一部を切り欠いて示す側面図。
【符号の説明】
【０１２６】
１０    ソケット
１１    ソケット本体
１２    電球支持部
１２ａ  ソケットの凹部
１３    装着部
１４、１４'  アーム部
１４ａ、１４ａ'  凹溝
１５  電球
１５ｃ、１５ｃ'  リード線
２０  電球装置
３０  照明装置
３１  ソケット支持装置
３２  支持装置本体
３３  ソケット支持装置の凹部
３４ａ、３４ｂ  電気端子部
３５ａ、３５ｂ  金属導体
３６  係止手段
【図１】
2007042357.tif 000003
【図２】
2007042357.tif 000004
【図３】
2007042357.tif 000005
【図４】
2007042357.tif 000006
【図５】
2007042357.tif 000007
【図６】
2007042357.tif 000008
【図７】
2007042357.tif 000009
【図８】
2007042357.tif 000010
【図９】
2007042357.tif 000011
【図１０】
2007042357.tif 000012